Podtech/llm-jp-corpus-v4-ja_patent huggingface dataset:
【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
ワイヤレス近距離通信（ＮＦＣ）の方法であって、
現在のメッセージの受信より前にＮＦＣリーダから要求メッセージを、ＮＦＣコントローラによって、受信することと、
前記要求メッセージに応答して、複数のセキュア要素のうちの１つから最後の応答メッセージを、前記ＮＦＣコントローラによって、受信することと、
前記最後の応答メッセージを送った前記セキュア要素のうちの前記１つのセキュア要素の識別名を、前記ＮＦＣコントローラによって、保存することと、
前記ＮＦＣリーダから前記現在のメッセージを、前記ＮＦＣコントローラによって、受信することと、
前記ＮＦＣコントローラによって、前記現在のメッセージが、セキュア要素の識別名を含んでいないことを判断することと、
前記ＮＦＣリーダへ前記最後の応答メッセージを送ったセキュア要素を、前記ＮＦＣコントローラによって、識別することと、
前記ＮＦＣリーダへ前記最後の応答メッセージを送った前記識別されたセキュア要素へ前記現在のメッセージを、前記ＮＦＣコントローラによって、送ることと、
を備える、方法。
【請求項２】
前記現在のメッセージを受信することに応答して、既知のプロトコルベースルーティングエントリのテーブルを、前記ＮＦＣコントローラによって、参照することと、
前記現在のメッセージのプロトコルタイプに対応する前記プロトコルタイプについてのエントリが、既知のプロトコルベースルーティングエントリの前記テーブルに含まれていないことを、前記ＮＦＣコントローラによって、判断することと、
ここにおいて、前記最後の応答メッセージに対応する前記セキュア要素を前記識別することは、少なくとも、前記現在のメッセージの前記プロトコルタイプが、既知のプロトコルベースルーティングエントリの前記テーブルに含まれていないことを前記判断することに応答している、
をさらに備える、請求項１に記載の方法。
【請求項３】
前記ＮＦＣコントローラによって、前記現在のメッセージを受信することに応答して、既知の技術ベースルーティングエントリのテーブルを参照することと、
前記現在のメッセージの技術タイプに対応する前記技術タイプについてのエントリが、既知の技術ベースルーティングエントリの前記テーブルに含まれていないことを、前記ＮＦＣコントローラによって、判断することと、
ここにおいて、前記最後の応答メッセージに対応する前記セキュア要素を前記識別することは、少なくとも、前記現在のメッセージの前記技術タイプが、既知の技術ベースルーティングエントリの前記テーブルに含まれていないことを前記判断することに応答している、
をさらに備える、請求項１に記載の方法。
【請求項４】
前記ＮＦＣコントローラによって、前記最後の応答メッセージを送った前記識別されたセキュア要素からＳＥＮＳＦ＿ＲＥＳＰポール応答を受信すること、ここにおいて、前記現在のメッセージを受信することは、現在の独自コマンドを受信することを備える、
をさらに備える、請求項１に記載の方法。
【請求項５】
前記ＮＦＣコントローラによって、前記セキュア要素のうちの前記１つからＳＥＮＳＦ＿ＲＥＳＰポール応答を受信すること、ここにおいて、前記要求メッセージを受信することは、ＳＥＮＳＦ＿ＲＥＱポールコマンドを受信することを備える、
をさらに備える、請求項２に記載の方法。
【請求項６】
前記識別されたセキュア要素は、デバイスホストにおける仮想セキュア要素を備える、請求項１に記載の方法。
【請求項７】
近距離通信（ＮＦＣ）のための装置であって、
ＮＦＣコントローラによって、現在のメッセージの受信より前にＮＦＣリーダから要求メッセージを受信するための手段と、
前記要求メッセージに応答して、前記ＮＦＣコントローラによって、複数のセキュア要素のうちの１つから最後の応答メッセージを受信するための手段と、
前記ＮＦＣコントローラによって、前記最後の応答メッセージを送った前記セキュア要素のうちの前記１つのセキュア要素の識別名を保存するための手段と、
前記ＮＦＣコントローラによって、前記ＮＦＣリーダから前記現在のメッセージを受信するための手段と、
前記ＮＦＣコントローラによって、前記現在のメッセージが、セキュア要素の識別名を含んでいないことを判断するための手段と、
前記ＮＦＣコントローラによって、前記ＮＦＣリーダへ前記最後の応答メッセージを送ったセキュア要素を識別するための手段と、
前記ＮＦＣコントローラによって、前記ＮＦＣリーダへ前記最後の応答メッセージを送った前記識別されたセキュア要素へ前記現在のメッセージを送るための手段と、
を備える、装置。
【請求項８】
前記ＮＦＣコントローラによって、前記現在のメッセージを受信することに応答して、既知のプロトコルベースルーティングエントリのテーブルを参照するための手段と、
前記ＮＦＣコントローラによって、前記現在のメッセージのプロトコルタイプに対応する前記プロトコルタイプについてのエントリが、既知のプロトコルベースルーティングエントリの前記テーブルに含まれていないことを判断するための手段と、
ここにおいて、前記最後の応答メッセージに対応する前記セキュア要素を前記識別することは、少なくとも、前記現在のメッセージの前記プロトコルタイプが、既知のプロトコルベースルーティングエントリの前記テーブルに含まれていないことを前記判断することに応答している、
をさらに備える、請求項７に記載の装置。
【請求項９】
前記ＮＦＣコントローラによって、前記現在のメッセージを受信することに応答して、既知の技術ベースルーティングエントリのテーブルを参照するための手段と、
前記ＮＦＣコントローラによって、前記現在のメッセージの技術タイプに対応する前記技術タイプについてのエントリが、既知の技術ベースルーティングエントリの前記テーブルに含まれていないことを判断するための手段と、
ここにおいて、前記最後の応答メッセージに対応する前記セキュア要素を前記識別することは、少なくとも、前記現在のメッセージの前記技術タイプが、既知の技術ベースルーティングエントリの前記テーブルに含まれていないことを前記判断することに応答している、
をさらに備える、請求項７に記載の装置。
【請求項１０】
前記ＮＦＣコントローラによって、前記最後の応答メッセージを送った前記識別されたセキュア要素からＳＥＮＳＦ＿ＲＥＳＰポール応答を受信するための手段、ここにおいて、前記現在のメッセージを受信することは、現在の独自コマンドを受信することを備える、
をさらに備える、請求項７に記載の装置。
【請求項１１】
前記ＮＦＣコントローラによって、前記セキュア要素のうちの前記１つからＳＥＮＳＦ＿ＲＥＳＰポール応答を受信するための手段、ここにおいて、前記要求メッセージを受信することは、ＳＥＮＳＦ＿ＲＥＱポールコマンドを受信することを備える、
をさらに備える、請求項７に記載の装置。
【請求項１２】
前記識別されたセキュア要素は、デバイスホストにおける仮想セキュア要素を備える、請求項７に記載の装置。
【請求項１３】
プログラムがコンピュータによって実行されたときに、請求項１〜６のいずれかによる方法を実行するためのコンピュータ実行可能な命令を備えたコンピュータプログラム。
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
1次セル（PCell）および2次セル（SCell）を提供するアクセスポイントを含み、通信媒体において1つまたは複数のアクセス端末と通信するシステムにおける通信の方法であって、前記方法は、前記アクセスポイントにおいて、
第1の無線アクセス技術（RAT）に従って、前記通信媒体を介して、信号を受信するステップと、
前記受信した信号に基づき前記第1のRATに関連した前記通信媒体の利用を特定するステップと、
間欠送信（DTX）通信パターンに従って、前記通信媒体上で送信のアクティブ期間と非アクティブ期間との間の前記PCellにおける第2のRATの動作を循環するステップと、
前記DTX通信パターンの1または複数のパラメータを1つまたは複数の前記アクセス端末に送信するステップと、
第1のコンポーネントキャリア上で前記PCellを経由して前記通信媒体を介してデータおよび制御シグナリングを交換するステップと、
第2のコンポーネントキャリア上で前記SCellを経由して前記通信媒体を介してデータシグナリングを交換するステップと、
負荷分散状態またはチャネル選択状態に基づいて、1つまたは複数のアクセス端末に関して、前記SCellを前記PCellとして、前記PCellを前記SCellとして再構成するステップと
を含む、方法。
【請求項２】
前記再構成するステップが、
前記第1のコンポーネントキャリアを経由してハンドオーバコマンドを送るステップと、
前記第2のコンポーネントキャリアを経由してハンドオーバ確認を受信するステップと、
PCell動作を前記第2のコンポーネントキャリアに切り替えるステップと
を含む、請求項1に記載の方法。
【請求項３】
前記再構成するステップが、前記再構成されたPCellを第3のコンポーネントキャリアに切り替えるステップを含む、請求項1に記載の方法。
【請求項４】
前記再構成するステップが、
前記第1のコンポーネントキャリアを経由してハンドオーバコマンドを送るステップと、
前記第2のコンポーネントキャリアを経由してハンドオーバ確認を受信するステップと、
PCell動作を前記第2のコンポーネントキャリアに切り替えるステップと、
前記第2のコンポーネントキャリアを経由してハンドオーバコマンドを送るステップと、
前記第3のコンポーネントキャリアを経由してハンドオーバ確認を受信するステップと、
PCell動作を前記第3のコンポーネントキャリアに切り替えるステップと
を含む、請求項3に記載の方法。
【請求項５】
前記再構成するステップが、
前記ハンドオーバ確認の前記受信に応じて、前記第1のコンポーネントキャリアを無効にするステップと、
前記第1のコンポーネントキャリアが前記無効であることに応じて、前記第3のコンポーネントキャリアを占有するステップと
をさらに含む、請求項4に記載の方法。
【請求項６】
しきい値を上回る、前記第1のコンポーネントキャリアと1つまたは複数の他のコンポーネントキャリアとの間のトラフィック不均衡に基づいて前記負荷分散状態を決定するステップと、
前記決定に応じて、前記再構成をトリガするステップと
をさらに含む、請求項1に記載の方法。
【請求項７】
しきい値を上回る、前記第1のコンポーネントキャリアと1つまたは複数の他のコンポーネントキャリアとの間の信号品質不均衡に基づいて前記チャネル選択状態を決定するステップと、
前記決定に応じて、前記再構成をトリガするステップと
をさらに含む、請求項1に記載の方法。
【請求項８】
ターゲットPCellの有利になるようにセル再選択にバイアスをかけるために、1つまたは複数のセル再選択パラメータを調整するステップと、
前記ターゲットPCellのセル再選択をトリガするために、前記1つまたは複数の調整されたセル再選択パラメータをアイドルモードのアクセス端末にシグナリングするステップと
をさらに含む、請求項1に記載の方法。
【請求項９】
請求項1から8のいずれかの項に記載の方法を実行する手段を備えた通信装置。
【請求項１０】
第1のコンポーネントキャリア上でアクセスポイントによって提供される1次セル(PCell)を経由して通信媒体を介してデータおよび制御シグナリングを交換し、第2のコンポーネントキャリア上で前記アクセスポイントによって提供される2次セル(SCell)を経由して前記通信媒体を介してデータシグナリングを交換するように構成されたトランシーバと、
少なくとも1つのプロセッサと、
前記少なくとも1つのプロセッサに結合された、少なくとも1つのメモリとを含み、前記少なくとも1つのプロセッサおよび前記少なくとも1つのメモリが、負荷分散状態またはチャネル選択状態に基づいて、1つまたは複数のアクセス端末に関して、前記SCellを前記PCellとして、前記PCellを前記SCellとして再構成するように前記トランシーバに指示するように構成される、請求項9に記載の通信装置。
【請求項１１】
プロセッサによって実行されると、前記プロセッサに、通信のための動作を実行させるコードを含む、コンピュータ可読記録媒体であって、請求項1から8のいずれかの項に記載の方法を実行させるコードを含む、コンピュータ可読記録媒体。
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
複数の周波数変換信号を生成するように構成された複数のミキシング回路であって、
前記複数のミキシング回路のうちの少なくとも1つのミキシング回路が複数のパスとともに構成され、各々のパスが1つの線形性モードを表し、
前記複数のパスが、
第1の金属酸化物半導体抵抗器とともに構成された高線形性モードの第1のパスと、
第2の金属酸化物半導体抵抗器および第1のモードスイッチとともに構成された低線形性モードの第2のパスと
を含み、
前記第1および第2の金属酸化物半導体抵抗器がローカル発振信号によって制御される、複数のミキシング回路と、
差分ベースバンド出力信号を生成するために前記複数の周波数変換信号を合成するように構成された複数の合成回路と
を含む、装置。
【請求項２】
前記少なくとも1つのミキシング回路が、グローバルシステムフォーモバイルコミュニケーションズ(GSM(登録商標))SAWレストランシーバの補助ミキサである、請求項1に記載の装置。
【請求項３】
前記第1のモードスイッチが、低線形性モード信号によって制御される金属酸化物半導体スイッチである、請求項1に記載の装置。
【請求項４】
前記複数のパスが、
第3の金属酸化物半導体抵抗器および第2のモードスイッチとともに構成された中線形性モードの第3のパス
をさらに含み、
前記第3の金属酸化物半導体抵抗器がまた、前記ローカル発振信号によって制御される、
請求項1に記載の装置。
【請求項５】
前記第2のモードスイッチが、中線形性モード信号によって制御される金属酸化物半導体スイッチである、請求項4に記載の装置。
【請求項６】
前記複数のミキシング回路が、差分ローカル発振信号および差分RF入力信号を受け取るように構成され、
前記差分ローカル発振信号が、正の差分ローカル発振信号および負の差分ローカル発振信号を含み、
前記差分RF入力信号が、正の差分RF入力信号および負の差分RF入力信号を含む、
請求項1に記載の装置。
【請求項７】
前記複数のミキシング回路が、第1、第2、第3、および第4のミキシング回路を含み、
前記複数のミキシング回路が、第1、第2、第3、および第4の周波数変換信号を含む前記複数の周波数変換信号を生成するために前記差分ローカル発振信号と前記差分RF入力信号とをミキシングするように構成される、
請求項6に記載の装置。
【請求項８】
前記第1のミキシング回路が、前記第1の周波数変換信号を生成するために前記正の差分ローカル発振信号と正の差分RF入力信号とをミキシングするように構成される、請求項7に記載の装置。
【請求項９】
前記第2のミキシング回路が、前記第2の周波数変換信号を生成するために前記負の差分ローカル発振信号と正の差分RF入力信号とをミキシングするように構成される、請求項7に記載の装置。
【請求項１０】
前記第3のミキシング回路が、前記第3の周波数変換信号を生成するために前記負の差分ローカル発振信号と負の差分RF入力信号とをミキシングするように構成される、請求項7に記載の装置。
【請求項１１】
前記第4のミキシング回路が、前記第4の周波数変換信号を生成するために前記正の差分ローカル発振信号と負の差分RF入力信号とを受け取るように構成される、請求項7に記載の装置。
【請求項１２】
前記複数の合成回路が、第1および第2の合成回路を含み、前記複数の合成回路が、前記差分ベースバンド出力信号の正および負のベースバンド出力信号を生成するように構成される、請求項7に記載の装置。
【請求項１３】
前記第1の合成回路が、前記正のベースバンド出力信号を生成するために前記第1の周波数変換信号と前記第3の周波数変換信号とを合成するように構成される、および/または、前記第2の合成回路が、前記差分ベースバンド出力信号の負のベースバンド出力信号を生成するために前記第2の周波数変換信号と前記第4の周波数変換信号とを合成するように構成される、請求項12に記載の装置。
【請求項１４】
前記少なくとも1つのミキシング回路が、
少なくとも1つの電圧制御可変抵抗器と直列のローカル発振制御金属酸化物半導体抵抗器
を含む、請求項1に記載の装置。
【請求項１５】
前記少なくとも1つの電圧制御可変抵抗器の各々が、切換え可能な抵抗器のバンクとして構成される、請求項14に記載の装置。
【手続補正書】
【提出日】平成30年9月4日(2018.9.4)
【手続補正１】
【補正対象書類名】特許請求の範囲
【補正対象項目名】全文
【補正方法】変更
【補正の内容】
【特許請求の範囲】
【請求項１】
２つ以上の電子デバイスの間の少なくとも１つの位置関係を決定する際に使用するための方法であって、
前記２つ以上の電子デバイスのうちの第１の電子デバイスにおいて、前記２つ以上の電子デバイスのうちの少なくとも第２の電子デバイスと、前記少なくとも１つの位置関係を決定するために測定値を交換するフェーズのための複数のパラメータを決定することと、ここにおいて、前記複数のパラメータは、前記第１の電子デバイス、前記第２の電子デバイス、または前記第１の電子デバイスと前記第２の電子デバイスとの組合せによって測定値を交換する前記フェーズの間に送信されるようにスケジュールされたワイヤレス信号の複数のセットを識別し、
前記第１の電子デバイスにおいて、ワイヤレス信号の前記複数のセットのうちのワイヤレス信号の現在のセットの受信または送信の間に、測定値を交換する前記フェーズに参加することを一時中断する指示を、前記第２の電子デバイスから受信するかまたは前記第２の電子デバイスに送信することと、
前記第１の電子デバイスにおいて、測定値を交換する前記フェーズへの参加を一時中断する前記指示に基づいて、前記第１の電子デバイスによって送信されるようにスケジュールされたワイヤレス信号の前記複数のセットのうちの１つまたは複数の送信を保留することと、
を備え、前記方法は、
前記第１の電子デバイスにおいて、ワイヤレス信号の前記複数のセットのうちのワイヤレス信号の新しいセットを、前記第２の電子デバイスに送信するかまたは前記第２の電子デバイスから受信することと、ワイヤレス信号の前記新しいセットは、ワイヤレス信号の前記複数のセットのうちの前記１つまたは複数の後に前記複数のパラメータに従って送信されるように元々スケジュールされている、
を特徴とする、方法。
【請求項２】
前記送信を保留することは、前記第２の電子デバイスからのフレームの受信に応答して実行される、請求項１に記載の方法。
【請求項３】
ワイヤレス信号の前記新しいセットの送信は、前記フレームにおいて識別される特定の時間に基づく、請求項２に記載の方法。
【請求項４】
前記フレーム内のフィールドは、公開されている工業規格において未使用であり、
前記フィールドは、測定値を交換する前記フェーズへの参加を一時中断する前記指示を伝達するための値に設定される、請求項２に記載の方法。
【請求項５】
前記測定値は、
到達時間の測定値と出発時間の測定値、または
到達時間の測定値と出発時間の測定値との差
を備える、請求項１に記載の方法。
【請求項６】
前記少なくとも１つの位置関係は、
前記第１の電子デバイスのアンテナと前記第２の電子デバイスのアンテナとの間の距離、または
前記第１の電子デバイスのアンテナと前記第２の電子デバイスのアンテナとの間の角度
を示す、請求項１に記載の方法。
【請求項７】
電子デバイスのペアの第１の電子デバイスのプロセッサによって実行されると、電子デバイスの前記ペア間の少なくとも１つの位置関係を決定する方法におけるステップを実行する複数の命令を備える非一時的コンピュータ可読記憶媒体であって、前記方法は、請求項１乃至請求項６のいずれか一項に記載の方法である、非一時的コンピュータ可読記憶媒体。
【請求項８】
互いにワイヤレス接続された装置のペア間の少なくとも１つの位置関係を決定する手順を実行する第１の装置であって、
少なくとも第２の装置と、前記少なくとも１つの位置関係を決定するために測定値を交換するフェーズのための複数のパラメータを決定するための手段と、ここにおいて、前記複数のパラメータは、前記第１の装置、前記第２の装置、または前記第１の装置と前記第２の装置との組合せによって測定値を交換する前記フェーズの間に送信されるようにスケジュールされたワイヤレス信号の複数のセットを識別し、
ワイヤレス信号の前記複数のセットのうちのワイヤレス信号の現在のセットの受信または送信の間に、測定値を交換する前記フェーズに参加することを一時中断する指示を、前記第２の装置から受信するかまたは前記第２の装置に送信するための手段と、
測定値を交換する前記フェーズへの参加を一時中断する前記指示に応答して、前記第１の装置によって送信されるようにスケジュールされたワイヤレス信号の前記複数のセットのうちの１つまたは複数の送信を保留するための手段と、
を備え、前記第１の装置は、
ワイヤレス信号の前記複数のセットのうちのワイヤレス信号の新しいセットを、送信または受信するための手段と、ワイヤレス信号の前記新しいセットは、ワイヤレス信号の前記複数のセットのうちの前記１つまたは複数の後に前記複数のパラメータに従って送信されるように元々スケジュールされている、
をさらに備えることを特徴とする、第１の装置。
【請求項９】
前記送信を保留することは、前記第２の電子デバイスからのフレームの受信に応答して実行される、請求項８に記載の第１の装置。
【請求項１０】
ワイヤレス信号の前記新しいセットの送信は、前記フレームにおいて識別される特定の時間に基づく、請求項９に記載の第１の装置。
【請求項１１】
前記フレーム内のフィールドは、公開されている工業規格において未使用であり、
前記フィールドは、測定値を交換する前記フェーズへの参加を一時中断する前記指示を伝達するための値に設定される、請求項１０に記載の第１の装置。
【請求項１２】
前記測定値は、
到達時間の測定値と出発時間の測定値とを備える、または
到達時間の測定値と出発時間の測定値との差
を備える、請求項８に記載の第１の装置。
【請求項１３】
前記少なくとも１つの位置関係は、
前記第１の電子デバイスのアンテナと前記第２の電子デバイスのアンテナとの間の距離、または
前記第１の電子デバイスのアンテナと前記第２の電子デバイスのアンテナとの間の角度
を示す、請求項８に記載の第１の装置。
【請求項１４】
請求項８乃至請求項１３のいずれかに記載の装置であって、前記第１の電子デバイスは、
トランシーバと、
メモリと、
前記トランシーバおよび前記メモリに動作可能に結合されたプロセッサと、
をさらに備え、ここにおいて、前記プロセッサおよびメモリは、
決定するための前記手段を提供するように構成され、
前記トランシーバを用いて、受信するための前記手段を提供するように構成され、
測定値を交換する前記フェーズへの参加を一時中断する前記指示に基づいて、保留するための前記手段を提供するように構成され、
前記トランシーバを用いて、送信するための前記手段を提供するように構成される、
第１の電子デバイス。
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信の方法であって、
少なくとも前記UEの第1の無線機および前記UEの第2の無線機と通信可能に結合された前記UEの共用アンテナを使用して通信するステップと、
前記第1の無線機のスリープモードへの次の遷移を識別するステップと、
前記第1の無線機の前記スリープモードへの前記次の遷移に少なくとも部分的に基づいて、前記第1の無線機によって、前記第2の無線機の前記共用アンテナの同調コードを調整するステップと
を備える、方法。
【請求項２】
前記共用アンテナの前記同調コードを調整する前記ステップが、
前記第2の無線機に同調コード照会を送信するステップと、
前記同調コード照会に応答して同調コード応答を受信するステップと、
前記同調コード応答に少なくとも部分的に基づいて、前記第1の無線機によって、前記第2の無線機の前記共用アンテナの前記同調コードを調整するステップと
を備える、請求項1に記載の方法。
【請求項３】
前記同調コード応答が、第2の無線同調コード、または第2の無線周波数帯域、または第2の無線タイミング、または第2の無線帯域幅、または第2の無線電力、またはそれらの組合せのうちの少なくとも1つを備える、請求項2に記載の方法。
【請求項４】
前記共用アンテナの前記同調コードを調整する前記ステップが、
前記第2の無線機の同調コードの履歴記録にアクセスするステップと、
前記第2の無線機の同調コードの前記履歴記録に少なくとも部分的に基づいて、前記第1の無線機によって、前記共用アンテナの前記同調コードを調整するステップと
を備える、請求項1に記載の方法。
【請求項５】
前記共用アンテナの前記同調コードを調整する前記ステップが、
同調コードの前記履歴記録内の近況における同調コードにアクセスするステップと、
前記近況における同調コードに少なくとも部分的に基づいて、前記第1の無線機によって、前記第2の無線機の前記共用アンテナの前記同調コードを調整するステップと
を備える、請求項4に記載の方法。
【請求項６】
前記第2の無線機から前記共用アンテナを使用して信号を送信するステップをさらに備える、請求項1に記載の方法。
【請求項７】
前記送信された信号に少なくとも部分的に基づいて、測定値を受信するステップと、
前記受信された測定値に少なくとも部分的に基づいて、前記第1の無線機によって、前記第2の無線機の前記共用アンテナの前記同調コードを調整するステップと
をさらに備える、請求項6に記載の方法。
【請求項８】
ユーザ機器(UE)におけるワイヤレス通信のための装置であって、
少なくとも前記UEの第1の無線機および前記UEの第2の無線機と通信可能に結合された前記UEの共用アンテナを使用して通信するための通信マネージャと、
前記第1の無線機のスリープモードへの次の遷移を識別するためのスリープ決定器と、
前記第1の無線機の前記スリープモードへの前記次の遷移に少なくとも部分的に基づいて、前記第1の無線機によって、前記第2の無線機の前記共用アンテナの同調コードを調整するためのチューナと
を備える、装置。
【請求項９】
前記共用アンテナの前記同調コードを調整するための前記チューナが、
前記第2の無線機に同調コード照会を送信するための前記チューナと、
前記同調コード照会に応答して同調コード応答を受信するための前記チューナと、
前記同調コード応答に少なくとも部分的に基づいて、前記第1の無線機によって、前記第2の無線機の前記共用アンテナの前記同調コードを調整するための前記チューナと
を備える、請求項8に記載の装置。
【請求項１０】
前記同調コード応答が、第2の無線同調コード、または第2の無線周波数帯域、または第2の無線タイミング、または第2の無線帯域幅、または第2の無線電力、またはそれらの組合せのうちの少なくとも1つを備える、請求項9に記載の装置。
【請求項１１】
前記共用アンテナの前記同調コードを調整するための前記チューナが、
前記第2の無線機の同調コードの履歴記録にアクセスするための履歴記録と、
前記第2の無線機の同調コードの前記履歴記録に少なくとも部分的に基づいて、前記第1の無線機によって、前記共用アンテナの前記同調コードを調整するための前記チューナと
を備える、請求項8に記載の装置。
【請求項１２】
前記同調コードを調整するための前記チューナが、
同調コードの前記履歴記録内の近況における同調コードにアクセスするための前記履歴記録と、
前記近況における同調コードに少なくとも部分的に基づいて、前記第1の無線機によって、前記第2の無線機の前記共用アンテナの前記同調コードを調整するための前記チューナと
を備える、請求項11に記載の装置。
【請求項１３】
前記通信マネージャがさらに、前記第2の無線機から前記共用アンテナを使用して信号を送信するためのものである、請求項8に記載の装置。
【請求項１４】
前記送信された信号に少なくとも部分的に基づいて、測定値を受信するための同調品質マネージャをさらに備え、
前記チューナがさらに、前記受信された測定値に少なくとも部分的に基づいて、前記第1の無線機によって、前記第2の無線機の前記共用アンテナの前記同調コードを調整するためのものである、請求項13に記載の装置。
【請求項１５】
請求項1から7のいずれか一項に記載の方法を実行するための命令を含む、コンピュータプログラム。
【手続補正書】
【提出日】平成30年7月26日(2018.7.26)
【手続補正１】
【補正対象書類名】特許請求の範囲
【補正対象項目名】請求項２
【補正方法】変更
【補正の内容】
【請求項２】
前記干渉計装置（３０）が光導波路を備える集積光学装置であり、前記光導波路の入力部が前記光源に結合され、前記光導波路が２つの分岐に分割され、前記光導波路の出力部が、前記２つのビームの交差点に前記測定体積を形成するために方向付けられる、請求項１に記載の方法。
【手続補正２】
【補正対象書類名】明細書
【補正対象項目名】００７１
【補正方法】変更
【補正の内容】
【００７１】
別の実施形態によれば、図３Ａおよび図６Ａに示すように、測定体積は、ウェハ２の主表面Ｓの垂線に対して角度θで傾けられる。
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
ワイヤレス電力送信機をテストする方法であって、
送信アンテナを介して磁場を生成するステップと、
前記ワイヤレス電力送信機の充電面の複数のロケーションにおいて、前記磁場の大きさを示す複数の値を測定するステップと、
前記磁場の前記大きさを示す前記複数の値が、前記複数のロケーションにおけるあらかじめ決定された値の範囲内であると決定するステップと
を含む方法。
【請求項２】
前記複数の値が、前記複数のロケーションにおいて選択的に配置されるように構成されたテスト回路の複数の開回路電圧を含む、請求項1に記載の方法。
【請求項３】
前記磁場に結合するように構成された外部デバイスを介して、負荷をエリアにおいて前記送信アンテナに提示するステップと、
前記エリアの外側の前記複数のロケーションのうちのロケーションにおいて、前記磁場の前記大きさを示す別の複数の値を測定するステップと、
前記別の複数の値が前記あらかじめ決定された値の範囲内であると決定するステップと
をさらに含む、請求項1に記載の方法。
【請求項４】
前記外部デバイスが前記送信アンテナに提示された後の前記別の複数の値のうちの値が、前記外部デバイスが前記送信アンテナに提示されるより前の前記複数の値のうちの対応する値のしきい値範囲内である、請求項3に記載の方法。
【請求項５】
あらかじめ決定された抵抗の範囲にわたって、前記磁場に結合するように構成された外部デバイスを介して前記送信アンテナに提示された抵抗を調整するステップと、
前記抵抗が前記あらかじめ決定された抵抗の範囲にわたって調整されるとき、前記外部デバイスが前記送信アンテナに提示されない別の複数のロケーションにおいて、前記磁場の前記大きさを示す別の複数の値を測定するステップと、
前記複数の値が前記あらかじめ決定された値の範囲内であると決定するステップと
をさらに含む、請求項1に記載の方法。
【請求項６】
あらかじめ決定された抵抗の範囲にわたって、前記磁場に結合するように構成された複数の外部デバイスを介して前記送信アンテナに提示された抵抗を調整するステップと、
前記抵抗が前記あらかじめ決定された抵抗の範囲にわたって調整されるとき、前記複数の外部デバイスが前記送信アンテナに提示されない別の複数のロケーションにおいて、前記磁場の前記大きさを示す別の複数の値を測定するステップと、
前記複数の値が前記あらかじめ決定された値の範囲内であると決定するステップと
をさらに含む、請求項1に記載の方法。
【請求項７】
あらかじめ決定されたリアクタンスシフトの範囲にわたって、前記磁場に結合するように構成された外部デバイスを介して前記送信アンテナに提示されたリアクタンスシフトを調整するステップと、
前記リアクタンスシフトが前記あらかじめ決定されたリアクタンスシフトの範囲にわたって調整されるとき、前記外部デバイスが前記送信アンテナに提示されない別の複数のロケーションにおいて、前記磁場の前記大きさを示す別の複数の値を測定するステップと、
前記複数の値が前記あらかじめ決定された値の範囲内であると決定するステップと
をさらに含む、請求項1に記載の方法。
【請求項８】
あらかじめ決定されたリアクタンスシフトの範囲にわたって、前記磁場に結合するように構成された複数の外部デバイスを介して前記送信アンテナに提示されたリアクタンスシフトを調整するステップと、
前記リアクタンスシフトが前記あらかじめ決定されたリアクタンスシフトの範囲にわたって調整されるとき、前記複数の外部デバイスが前記送信アンテナに提示されない別の複数のロケーションにおいて、前記磁場の前記大きさを示す別の複数の値を測定するステップと、
前記複数の値が前記あらかじめ決定された値の範囲内であると決定するステップと
をさらに含む、請求項1に記載の方法。
【請求項９】
前記リアクタンスシフトを調整するステップが、より容量性またはより誘導性のうちの少なくとも1つになるように前記リアクタンスシフトを調整するステップを含む、請求項7に記載の方法。
【請求項１０】
ワイヤレス電力送信機をテストするためのシステムであって、
前記ワイヤレス電力送信機の充電面の複数のロケーションにおいて、前記ワイヤレス電力送信機の送信アンテナによって生成された磁場の大きさを示す複数の値を測定するための手段と、
前記磁場の前記大きさを示す前記複数の値が、前記複数のロケーションにおけるあらかじめ決定された値の範囲内であると決定するための手段と
を備えるシステム。
【請求項１１】
前記システムが、エリアにおいて前記送信アンテナに提示されるように構成された、前記磁場に結合するための手段をさらに備え、測定するための前記手段が、前記エリアの外側の前記複数のロケーションのうちのロケーションにおいて、前記磁場の前記大きさを示す別の複数の値を測定するようにさらに構成され、決定するための前記手段が、前記別の複数の値が前記あらかじめ決定された値の範囲内であると決定するようにさらに構成される、請求項10に記載のシステム。
【請求項１２】
結合するための前記手段が、抵抗性負荷を備え、決定するための前記手段が、前記抵抗性負荷が前記磁場内で前記ワイヤレス電力送信機に提示された後、前記ワイヤレス電力送信機が、しきい値におけるかまたはしきい値を上回る範囲内に前記磁場を維持することが可能であるか否かを決定するようにさらに構成される、請求項11に記載のシステム。
【請求項１３】
前記抵抗性負荷が、外部デバイスを介して提示され、前記外部デバイスが、前記抵抗性負荷を最小値から最大値まで変動させるように構成される、請求項12に記載のシステム。
【請求項１４】
前記システムが、
前記送信アンテナに提示されるように構成された、あらかじめ決定されたリアクタンスシフトの範囲にわたって、前記磁場に結合するための手段
をさらに備え、
測定するための前記手段が、リアクタンスシフトが前記あらかじめ決定されたリアクタンスシフトの範囲にわたって調整されるとき、結合するための前記手段が前記送信アンテナに提示されない別の複数のロケーションにおいて、前記磁場の前記大きさを示す別の複数の値を測定するようにさらに構成され、決定するための前記手段が、前記複数の値が前記あらかじめ決定された値の範囲内であると決定するようにさらに構成される、請求項10に記載のシステム。
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
コンピュータネットワーク間でウェブサービス要求を送信する方法であって、前記方法は、
内部コンピュータネットワークと通信しているプロキシサーバで、前記内部コンピュータネットワークとは別の外部コンピュータネットワークにおけるクライアント装置からのウェブサービス要求を受信するステップと、
前記ウェブサービス要求内の第１のリソースを識別するステップと、
前記第１のリソースが前記プロキシサーバ内の第１のレプリゼンテーショナル・ステート・トランスファー（ＲＥＳＴ）ウェブサービスによって公開されると判断するステップと、
前記プロキシサーバ内の前記第１のＲＥＳＴウェブサービスを呼び出すステップと、
前記プロキシサーバ内の前記第１のＲＥＳＴウェブサービスの実行中、前記内部コンピュータネットワークにおけるコンピュータサーバ内の第２のウェブサービスを呼び出すステップとを含む、方法。
【請求項２】
前記プロキシサーバ内の前記第１のＲＥＳＴウェブサービスを呼び出すステップは、
前記第１のＲＥＳＴウェブサービスによって公開された前記第１のリソースが前記プロキシサーバ内に存在しないと判断するステップと、
前記第１のリソースを前記プロキシサーバ内に生成するステップとを含み、前記第１のリソースは、前記ウェブサービス要求が前記クライアント装置から受信された後に生成される、請求項１に記載の方法。
【請求項３】
前記内部コンピュータネットワークにおける前記コンピュータサーバ内の前記第２のウェブサービスによって提供される一組のリソースを記述するウェブアプリケーション記述言語（ＷＡＤＬ）ファイルにアクセスするステップと、
前記第２のウェブサービスによって提供される前記一組のリソースの前記ＷＡＤＬファイルにおける記述を使用して、前記プロキシサーバ内の前記第１のＲＥＳＴウェブサービスにおいて１つ以上のリソースを生成するステップとをさらに含む、請求項１または２に記載の方法。
【請求項４】
前記プロキシサーバ内の前記第１のＲＥＳＴウェブサービスにおいて前記リソースを生成するステップは、
前記ＷＡＤＬファイル内の１つ以上のリソース記述を修正するステップと、
修正された前記リソース記述に基づいて１つ以上のＲＥＳＴリソースを作成するステップと、
前記ＲＥＳＴリソースの各々を前記プロキシサーバ内の前記第１のＲＥＳＴウェブサービスにデプロイメントするステップとを含む、請求項３に記載の方法。
【請求項５】
前記第２のウェブサービスは、前記内部コンピュータネットワークにおける前記コンピュータサーバ内のＲＥＳＴウェブサービスである、請求項１〜４のいずれか１項に記載の方法。
【請求項６】
前記プロキシサーバ内の前記第１のＲＥＳＴウェブサービスは、第２のＲＥＳＴウェブサービスを呼び出すように構成された少なくとも１つのリソースを含み、かつ、前記内部コンピュータネットワークにおける異なるコンピュータサーバによって公開された第３のＲＥＳＴウェブサービスを呼び出すように構成された少なくとも１つのリソースを含む、複数のリソースを公開する、請求項５に記載の方法。
【請求項７】
第２のＲＥＳＴウェブサービスは複数のリソースを公開し、前記プロキシサーバ内の前記第１のＲＥＳＴウェブサービスは、前記第２のＲＥＳＴウェブサービスによって公開された前記複数のリソースの部分集合を公開する、請求項５に記載の方法。
【請求項８】
前記第２のウェブサービスは、前記内部コンピュータネットワークにおける前記コンピュータサーバ内の簡易オブジェクトアクセスプロトコル（ＳＯＡＰ）ウェブサービスである、請求項１に記載の方法。
【請求項９】
前記プロキシサーバ内の前記ウェブサービス要求のための予め定められた処理フローにおける現在点を判断するステップと、
前記ウェブサービス要求のための前記予め定められた処理フローにおける判断された前記現在点に基づいて、１つ以上のセキュリティポリシーを検索するステップと、
前記セキュリティポリシーに従って前記ウェブサービス要求を処理するステップとをさらに含み、
前記ウェブサービス要求は、前記内部コンピュータネットワークにおける前記コンピュータサーバによって公開された前記第２のウェブサービスを呼び出す前に処理される、請求項１〜８のいずれか１項に記載の方法。
【請求項１０】
システムであって、
１つ以上のプロセッサを含む処理部と、
前記処理部と結合され、前記処理部によって読取可能であるメモリとを含み、前記メモリは、前記処理部によって実行されると前記処理部に以下のステップを行なわせる一組の命令を格納しており、前記以下のステップは、
外部コンピュータネットワークにおけるクライアント装置からウェブサービス要求を受信するステップを含み、前記システムは、前記外部コンピュータネットワークとは別の内部コンピュータネットワークのサブネットワーク内で動作するように構成されており、前記以下のステップはさらに、
前記ウェブサービス要求内の第１のリソースを識別するステップと、
前記第１のリソースが前記システム内の第１のレプリゼンテーショナル・ステート・トランスファー（ＲＥＳＴ）ウェブサービスによって公開されると判断するステップと、
前記システム内の前記第１のＲＥＳＴウェブサービスを呼び出すステップと、
前記システム内の前記第１のＲＥＳＴウェブサービスの実行中、前記内部コンピュータネットワークにおけるコンピュータサーバ内の第２のウェブサービスを呼び出すステップとを含む、システム。
【請求項１１】
請求項１〜９のいずれかに記載の方法をコンピュータに実行させるためのプログラム。
【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
複数のセンサーと、
プロセッサと
を備えるモバイルデバイスであって、前記プロセッサが、
アプリケーションまたはサービスプロバイダのうちの少なくとも1つとの認証のためのモバイルデバイス機能、およびセンサー入力に基づいて、複数の認証プロセスを決定すること、
コンテキスト入力に基づきリスクインデックスを決定すること、
前記複数の認証プロセスの中から、決定される信用インデックスが、前記決定されたリスクインデックスよりも大きい１つまたは複数の認証プロセスを選択することであって、前記信用インデックスは、前記1つまたは複数の認証プロセスの各々と関連付けられる信用レベルに基づき決定され、前記選択された認証プロセスに関連付けられた信用レベルが、音、光、または動きの周辺レベルのうちの少なくとも1つに基づいて重み付けされる、こと、および
前記1つまたは複数の選択された認証プロセスを実行すること
を行うように構成される、モバイルデバイス。
【請求項２】
前記モバイルデバイスの機能が、1つまたは複数のセンサーの存在もしくは不在、および/または1つまたは複数のセンサーの精度を含む、請求項1に記載のモバイルデバイス。
【請求項３】
前記リスクインデックスが、銀行取引の振替額、または前記モバイルデバイスのユーザのロケーションに基づいて決定される、請求項1に記載のモバイルデバイス。
【請求項４】
前記複数の認証プロセスの少なくとも1つに関連付けられる信用レベルが、前記認証プロセスに関連付けられる誤った受諾および誤った拒絶に基づく、請求項1に記載のモバイルデバイス。
【請求項５】
認証プロセスがユーザ定義される、請求項1に記載のモバイルデバイス。
【請求項６】
アプリケーションまたはサービスプロバイダのうちの少なくとも1つとの認証のためのモバイルデバイスの機能、およびセンサー入力に基づいて、複数の認証プロセスを決定するステップと、
コンテキスト入力に基づきリスクインデックスを決定するステップと、
前記複数の認証プロセスの中から、決定される信用インデックスが、前記決定されたリスクインデックスよりも大きい１つまたは複数の認証プロセスを選択するステップであって、前記信用インデックスは、前記1つまたは複数の認証プロセスの各々と関連付けられる信用レベルに基づき決定され、前記選択された認証プロセスに関連付けられた信用レベルが、音、光、または動きの周辺レベルのうちの少なくとも1つに基づいて重み付けされる、ステップと、
前記1つまたは複数の選択された認証プロセスを実行するステップと
を含む方法。
【請求項７】
前記モバイルデバイスの機能が、1つまたは複数のセンサーの存在もしくは不在、および/または1つまたは複数のセンサーの精度を含む、請求項6に記載の方法。
【請求項８】
前記リスクインデックスが、銀行取引の振替額、または前記モバイルデバイスのユーザのロケーションに基づいて決定される、請求項6に記載の方法。
【請求項９】
前記複数の認証プロセスの少なくとも1つに関連付けられる信用レベルが、前記認証プロセスに関連付けられる誤った受諾および誤った拒絶に基づく、請求項6に記載の方法。
【請求項１０】
認証プロセスがユーザ定義される、請求項6に記載の方法。
【請求項１１】
プロセッサによって実行されたとき、前記プロセッサに、
アプリケーションまたはサービスプロバイダのうちの少なくとも1つとの認証のためのモバイルデバイスの機能、およびセンサー入力に基づいて、複数の認証プロセスを決定すること、
コンテキスト入力に基づきリスクインデックスを決定すること、
前記複数の認証プロセスの中から、決定される信用インデックスが、前記決定されたリスクインデックスよりも大きい１つまたは複数の認証プロセスを選択することであって、前記信用インデックスは、前記1つまたは複数の認証プロセスの各々と関連付けられる信用レベルに基づき決定され、前記選択された認証プロセスに関連付けられた信用レベルが、音、光、または動きの周辺レベルのうちの少なくとも1つに基づいて重み付けされること、および
前記1つまたは複数の選択された認証プロセスを実行すること
を行わせるコードを含むコンピュータ可読記録媒体。
【請求項１２】
前記モバイルデバイスの機能が、1つまたは複数のセンサーの存在もしくは不在、および/または1つまたは複数のセンサーの精度を含む、請求項11に記載のコンピュータ可読記録媒体。
【請求項１３】
前記リスクインデックスが、銀行取引の振替額、または前記モバイルデバイスのユーザのロケーションに基づいて決定される、請求項11に記載のコンピュータ可読記録媒体。
【請求項１４】
前記複数の認証プロセスの少なくとも1つに関連付けられる信用レベルが、前記認証プロセスに関連付けられる誤った受諾および誤った拒絶に基づく、請求項11に記載のコンピュータ可読記録媒体。
【請求項１５】
ユーザ定義された認証プロセスを可能にするためのコードをさらに含む請求項11に記載のコンピュータ可読記録媒体。
【手続補正書】
【提出日】平成30年10月15日(2018.10.15)
【手続補正１】
【補正対象書類名】特許請求の範囲
【補正対象項目名】全文
【補正方法】変更
【補正の内容】
【特許請求の範囲】
【請求項１】
可視光に対し実質的に透明である圧電フィルム構造体であって、
透明基板、
前記基板上に置かれた少なくとも１つの透明圧電層、
前記少なくとも１つの透明圧電層上、または、前記透明基板と該少なくとも１つの透明圧電層との間に置かれた透明上面導電層、および、
前記透明上面導電層上に置かれると共に１つ以上の上面誘電体層を含む透明上面光学層
を備えたことを特徴とする圧電フィルム構造体。
【請求項２】
前記透明基板の上または上方に置かれると共に１つ以上の底面誘電体層を含む透明底面光学層、および、前記透明底面光学層の上または上方に置かれた透明底面導電層をさらに備え、
前記透明上面および底面導電層が、各々、ＩＴＯ、ＡＺＯまたは金属薄膜のうち１つを含み、
前記透明圧電層が、ＣｄＳ、ＣｄＳｅ、ＺｎＳ、ＺｎＴｅ、ＺｎＯ、ＡｌＮ、酸素が添加されたＡｌＮ、チタン酸バリウム（ＢａＴｉＯ３）、無鉛ニオブ酸塩、チタン酸ジルコン酸鉛（ＰＺＴ）、チタン酸ジルコン酸ランタン鉛（ＰＬＺＴ）および無鉛チタン酸塩を含む圧電材料の群から選択された少なくとも１つの圧電材料を含むことを特徴とする請求項１に記載の圧電フィルム構造体。
【請求項３】
前記透明圧電層が、２０原子パーセントまでの酸素を有する酸素が添加されたＡｌＮからなり、
前記少なくとも１つの透明圧電層が、５０ｎｍ≦ＴＨ５０≦５０００ｎｍの範囲の厚さＴＨ５０を任意で有することを特徴とする請求項１または２に記載の圧電フィルム構造体。
【請求項４】
ｉ）バーコビッチのナノインデンテーション法によって測定された８ＧＰａより高い硬度と、
ｉｉ）２％未満の明所視平均反射率、および、ａ＊またはｂ＊のいずれかの座標において０から６０度の光入射範囲で５未満の角度による色ずれとのうち、
少なくとも１つの物性を有することを特徴とする請求項１から３のいずれか１項に記載の圧電フィルム構造体。
【請求項５】
請求項１から４のいずれか１項に記載の前記圧電フィルム構造体であって、前記透明上面光学層上の少なくとも１つのイベントに応じて出力信号を生成するものである該圧電フィルム構造体、並びに、
前記底面および上面透明導電層に電気的に接続され、前記少なくとも１つのイベントに関連した少なくとも１つの感知特性を決定するように前記出力信号を受信および処理する信号処理システムを備えた圧電センサシステムであって、
前記圧電センサシステムは、
前記少なくとも１つ感知特性が、接触感知特性を含み、前記少なくとも１つのイベントが、接触イベントを含み、前記少なくとも１つの接触感知特性が、各接触イベント毎に、接触イベントの接触位置、圧力量、力の大きさ、継続時間、サイズ、形状、加速度、音響感知、および、振動環境発電を含むこと、および、
前記少なくとも１つの感知特性が、各イベント毎に、超音波近接感知、超音波撮像、超音波洗浄、および、超音波データまたはエネルギー伝達を含むことのいずれかを含むことを特徴とする圧電センサシステム。
【請求項６】
表示アセンブリにおいて、
ユーザインタフェースを有する装置、および、
請求項５に記載の前記圧電センサシステムであって、該圧電センサシステムの前記圧電フィルム構造体を通して前記ユーザインタフェースが見えるように、前記装置に対して操作可能に置かれた該圧電センサシステム
を備え、
前記装置が、該ユーザインタフェースを通して光を発する表示システムであり、
前記光が、該ユーザインタフェースを画定すると共に、該圧電フィルム構造体を通って進むことを特徴とする表示アセンブリ。
【請求項７】
接触位置での接触イベントに応じる接触感知能力を有する圧電フィルムセンサであって、
第１および第２の電極を画定する第１および第２の透明導電層と、
前記第１および第２の電極間に挿入され、または、該第１および第２の電極に隣接して置かれた少なくとも１つの透明圧電層と
を備え、
該第１の電極、該第２の電極、および、該少なくとも１つの透明圧電層は、接触位置機能性を提供すると共に、前記接触イベントに応じて出力信号を生成するように構成され、
前記圧電フィルムセンサは、
第１の透明光学層が最上部表面を画定する状態で、前記圧電層の反対側に該第１および第２の電極にそれぞれ離接して置かれた前記第１の透明光学層および第２の透明光学層と、
前記第２の光学層に隣接して置かれた基板と、
前記底面および上面透明導電層に電気的に接続され、前記少なくとも１つの接触イベントに関連した少なくとも１つの接触感知特性を決定するように前記出力信号を処理する信号処理システムと
を備え、
前記少なくとも１つの接触感知特性が、前記接触イベントの接触位置、圧力量、力の大きさ、継続時間、サイズ、形状、加速度、音響感知、および、振動環境発電のうち１つ以上を含む、圧電フィルムセンサ。
【請求項８】
前記出力信号が圧電および焦電要素を含み、
前記信号処理システムが、前記圧電要素を前記焦電要素から実質的に分離するように該出力信号にフィルタリングを行うように配置された１つ以上のフィルタを含むことを特徴とする請求項７に記載の圧電フィルムセンサ。
【請求項９】
前記少なくとも１つの圧電層が、
多数の垂直方向に積層された圧電層、
多数の水平方向に積層された圧電層、および、
単一の連続した圧電層のいずれか１つ
を含み、
前記第１の電極が、第２の電極より前記最上部表面に近く、
該第１の電極が、前記信号処理システムへの電気接続部を介して個別に電気的に扱いうる、間隔をあけて電気的に絶縁された領域を有することを特徴とする請求項７または８に記載の圧電フィルムセンサ。
【請求項１０】
ユーザインタフェースを有する装置、および、
請求項７に記載の前記圧電フィルムセンサであって、請求項５に記載の前記圧電センサシステムの前記圧電フィルム構造体を通して前記ユーザインタフェースが見えるように、前記装置に対して操作可能に置かれた該圧電フィルムセンサ
を備え、
前記装置が、その表面を通して光を発する表示システムであり、
前記光が、前記ユーザインタフェースを画定すると共に、前記圧電フィルム構造体を通って進むことを特徴とする表示アセンブリ。